(57)【特許請求の範囲】
【請求項１】
透液性の表面シートと、不透液性の裏面シートと、前記表面シートと前記裏面シートとの間に介装され、体液を吸収する吸収体とを有する物品本体が備えられ、前記物品本体の腹側部と背側部の間に設けられる股下部の幅方向両端部の前記表面シート上に、前記腹側部から前記背側部にかけて左右一対のギャザーシートが設けられる吸収性物品において、
前記二つのギャザーシート間に、前記表面シートの一部が突出して形成された左右一対の突出部を備え、
前記突出部は、一定の間隔を有して前記物品本体の長手方向に沿って設けられるとともに、少なくとも前記股下部に設けられ、
前記突出部は、前記吸収性物品の幅方向の中心に向けて伏臥するように形成され、
前記突出部の内面に、インナーパッドを係止する係止部材を備えていることを特徴とする吸収性物品。
【請求項２】
透液性の表面シートと、不透液性の裏面シートと、前記表面シートと前記裏面シートとの間に介装され、体液を吸収する吸収体とを有する物品本体が備えられ、前記物品本体の腹側部と背側部の間に設けられる股下部の幅方向両端部の前記表面シート上に、前記腹側部から前記背側部にかけて左右一対のギャザーシートが設けられる吸収性物品において、
前記二つのギャザーシート間の前記表面シート上に突出して設けられた透液性シートからなる突出部を備え、
前記突出部は、一定の間隔を有して前記物品本体の長手方向に沿って設けられるとともに、少なくとも前記股下部に設けられ、
前記突出部は、前記吸収性物品の幅方向の中心に向けて伏臥するように形成され、
前記突出部の内面に、インナーパッドを係止する係止部材を備えていることを特徴とする吸収性物品。
【請求項３】
前記突出部は、基端部から先端部までの突出部分の長さが５〜５０ｍｍであることを特徴とする請求項１又は２に記載の吸収性物品。
【請求項４】
前記突出部の左右の間隔が、前記インナーパッドの幅の長さと略同一となっていることを特徴とする請求項１〜３の何れかに記載の吸収性物品。
【請求項５】
前記突出部の先端部には、１又は２以上の弾性部材が設けられていることを特徴とする請求項１〜４の何れかに記載の吸収性物品。
【請求項６】
前記弾性部材は、その弾性力が２０ｇｆ以下になるように設けられていることを特徴とする請求項５記載の吸収性物品。
【発明の詳細な説明】
【０００１】
【発明の属する技術分野】
この発明は、使い捨て紙おむつ等の吸収性物品に関する。
【０００２】
【従来の技術】
従来、使い捨て紙おむつ等に代表される吸収性物品は、透液性の表面シートと、不透液性の裏面シートと、前記表面シートと前記裏面シートとの間に腹側部から背側部にかけて介装される吸収体とを有する。更に、吸収性物品には、体液の漏れを防止するため、吸収体の左右両端に長手方向に沿って延在する不透液性のギャザーシートからなる立体ギャザーが設けられている。そして、立体ギャザーの高さを大きくすることにより、着用者が吸収性物品を乱雑に装着した場合、或いは使用中に吸収性物品がずり下がった場合に、吸収性物品の股下部と、着用者の股との隙間が大きくなることによる横漏れを防止している。
【０００３】
【発明が解決しようとする課題】
しかしながら、上記のように立体ギャザーの高さを大きくした場合、立体ギャザーが表面シート上に倒れた状態で着用者が装着してしまうと、不液透過性の立体ギャザーが液透過性の表面シートを広く覆ってしまうこととなって、結果として体液の横漏れを招いてしまうという問題があった。一方、表面シートを覆わないように立体ギャザーの高さを低くした場合、一度に大量の体液が吸収性物品に放出されると、吸収体の吸収速度が間に合わず横漏れしてしまうおそれがあった。
【０００４】
本発明は、上記事情に鑑みてなされたものであって、より体液の横漏れを防止できる吸収性物品を提供することを目的とする。
【０００５】
【課題を解決するための手段】
上記課題を解決するため、請求項１記載の発明は、例えば、図１から図８に示すように、透液性の表面シート（１０ａ）と、不透液性の裏面シート（１０ｂ）と、前記表面シート（１０ａ）と前記裏面シート（１０ｂ）との間に介装され、体液を吸収する吸収体（１２）とを有する物品本体（例えば、紙おむつ本体１０等）が備えられ、前記物品本体（例えば、紙おむつ本体１０等）の腹側部（１５）と背側部（１６）の間に設けられる股下部（１７）の幅方向両端部の前記表面シート（１０ａ）上に、前記腹側部（１５）から前記背側部（１６）にかけて左右一対のギャザーシート（１３）が設けられる吸収性物品（例えば、使い捨て紙おむつ１等）において、
前記二つのギャザーシート（１３）間に、前記表面シート（１０ａ）の一部が突出して形成された左右一対の突出部（１４）を備え、
前記突出部（１４）は、一定の間隔を有して前記物品本体（例えば、紙おむつ本体１０等）の長手方向に沿って設けられるとともに、少なくとも前記股下部（１７）に設けられ、
前記突出部（１４）は、前記吸収性物品（１）の幅方向の中心に向けて伏臥するように形成され、
前記突出部（１４）の内面に、インナーパッド（Ｐ）を係止する係止部材を備えていることを特徴とする。
【０００６】
請求項１記載の発明によれば、表面シートの一部が突出して形成された左右一対の突出部が、一定の間隔を有して物品本体の長手方向に沿って設けられるとともに、少なくとも股下部に設けられているので、股下部において排出された体液が突出部に到達すると、体液の流出の勢いが弱まるとともに長手方向に分散され、股下部のギャザーシートへの負担が軽くなることとなって、横漏れしにくくなる。また、突出部は、表面シートの一部より形成されているので、部材数を増やすことなく製造することができる。
また、突出部は吸収性物品の幅方向の中心に向けて伏臥するように形成され、その内面にインナーパッドを係止する係止部材を備えているので、インナーパッドをより確実に係止させることが出来ることとなって、漏れ防止効果の向上できる。また、インナーパッドを装着しない場合でも、係止部材は内面に備えられているので、装着者の肌に触れることを防ぐことができる。
【０００７】
請求項２記載の発明は、透液性の表面シート（１０ａ）と、不透液性の裏面シート（１０ｂ）と、前記表面シート（１０ａ）と前記裏面シート（１０ｂ）との間に介装され、体液を吸収する吸収体（１２）とを有する物品本体（例えば、紙おむつ本体１０等）が備えられ、前記物品本体（例えば、紙おむつ本体１０等）の腹側部（１５）と背側部（１６）の間に設けられる股下部（１７）の幅方向両端部の前記表面シート（１０ａ）上に、前記腹側部（１５）から前記背側部（１６）にかけて左右一対のギャザーシート（１３）が設けられる吸収性物品（例えば、使い捨て紙おむつ１等）において、
前記二つのギャザーシート（１３）間の前記表面シート（１０ａ）上に突出して設けられた透液性シートからなる突出部（１４）を備え、
前記突出部（１４）は、一定の間隔を有して前記物品本体（例えば、紙おむつ本体１０等）の長手方向に沿って設けられるとともに、少なくとも前記股下部（１７）に設けられ、
前記突出部（１４）は、前記吸収性物品（１）の幅方向の中心に向けて伏臥するように形成され、
前記突出部（１４）の内面に、インナーパッド（Ｐ）を係止する係止部材を備えていることを特徴とする。
【０００８】
請求項２記載の発明によれば、透液性シートからなる突出部が、二つのギャザーシート間の表面シート上に突出するように、一定の間隔を有して物品本体の長手方向に沿って設けられており、更に少なくとも股下部に設けられているので、股下部で排出された体液が突出部に到達すると、体液の流出の勢いが弱まるとともに、長手方向に拡散され、股下部のギャザーシートへの負担が軽くなることとなって、横漏れがしにくくなる。また、突出部は、表面シートとは別部材により形成することができるので、形状等の自由度が増す。
また、突出部は吸収性物品の幅方向の中心に向けて伏臥するように形成され、その内面にインナーパッドを係止する係止部材を備えているので、インナーパッドをより確実に係止させることが出来ることとなって、漏れ防止効果の向上できる。また、インナーパッドを装着しない場合でも、係止部材は内面に備えられているので、装着者の肌に触れることを防ぐことができる。
【０００９】
請求項３記載の発明は、請求項１又は２記載の吸収性物品において、
前記突出部（１４）は、基端部（１４４）から先端部（１４５）までの突出部分の長さが５〜５０ｍｍであることを特徴とする。
【００１０】
請求項３記載の発明によれば、請求項１又は２記載の発明と同様の効果が得られるのは勿論のこと、特に、突出部は、基端部から先端部までの突出部分の長さが５〜５０ｍｍであるので、体液の横へ流出の勢いを弱めるのに適している。
【００１１】
請求項４記載の発明は、請求項１〜３の何れかに記載の吸収性物品において、
前記突出部（１４）の左右の間隔が、インナーパッド（Ｐ）の幅の長さと略同一となっていることを特徴とする。
【００１２】
ここで、インナーパッドとは、吸収性物品の上に重ねて装着するものであって、体液の吸収に対して吸収性物品を補助するためのものであると共に、吸収性物品そのものの取換え頻度を低くすることにより使用コストを抑えるためのものでもある。
【００１３】
請求項４記載の発明によれば、請求項１〜３の何れかに記載の発明と同様の効果が得られるのは勿論のこと、特に、突出部の左右の間隔が、インナーパッドの幅の長さを略同一となっているので、左右の突出部の間にインナーパッドを装着させる場合に、インナーパッドがずれるのを防止することができることとなって、さらに漏れ防止効果を向上させることができる。
【００１４】
請求項５記載の発明は、請求項１〜４の何れかに記載の吸収性物品において、
前記突出部（１４）の先端部には、１又は２以上の弾性部材（例えば、糸ゴム１４ａ等）が設けられていることを特徴とする。
【００１５】
請求項５記載の発明によれば、請求項１〜４の何れかに記載の発明と同様の効果が得られるのは勿論のこと、特に、突出部の先端部には、１又は２以上の弾性部材が設けられているので、装着者の体型等に合わせてフィットすることが可能な上、例えば、左右突出部の間にインナーパッドを装着する場合には、インナーパッドのずれ防止効果が高くなる。
【００１６】
請求項６記載の発明は、請求項５記載の吸収性物品において、
前記弾性部材（例えば、糸ゴム１４ａ等）は、その弾性力が２０ｇｆ以下になるように設けられていることを特徴とする。
【００１７】
請求項６記載の発明によれば、請求項５記載の発明と同様の効果が得られるのは勿論のこと、特に、弾性部材は、その弾性力が２０ｇｆ以下になるように設けられているので、弾性部材により吸収性物品が収縮してしまい吸収体が重なり合う部分により吸収効率が悪くなるおそれがない。
【００２０】
【発明の実施の形態】
以下、本発明の実施の形態を、図面を参照しながら詳細に説明する。
本実施の形態では、吸収性物品として、特に、成人用の使い捨て紙おむつを一例として、以下で説明する。
図１は、本実施の形態における使い捨て紙おむつを展開した斜視図である。また、図２は、使い捨て紙おむつの装着時の状態に組立てた斜視図であり、図３は、平面展開図である。
図１〜図３に示すように、使い捨て紙おむつ（以下、紙おむつという。）１は、物品本体である紙おむつ本体１０と、この紙おむつ本体１０を人体に装着するための止着部２０、２０と、止着部２０を係止させるための被着部３０とを備えている。
【００２１】
紙おむつ本体１０は、人体との接触面側に設けられる透液性の不織布等からなる表面シート１０ａと、装着時に外部側に設けられる不透液性の裏面シート１０ｂと、表面シート１０ａと裏面シート１０ｂとの間に介装される吸収体１２と、表面シート１０ａ側の吸収体１２の両側部に、紙おむつ本体１０の長手方向に沿って備えられるギャザーシート１３、１３と、このギャザーシート１３、１３よりも紙おむつ本体１０の幅方向の内側の吸収体１２上に、紙おむつ本体１０の長手方向に沿うように備えられる突出部１４、１４と、により主に構成される。
ここで、内側とは、紙おむつ１０の幅方向の中央側をいい、外側とは、紙おむつ１０の幅方向の中央から離れる側をいう。
【００２２】
紙おむつ本体１０は、人体の股部を腹側から背側にかけて覆うように、一方の端部に腹側部１５が形成され、他方の端部に背側部１６が形成されている。また、腹側部１５と背側部１６との間が股下部１７となっている。股下部１７の両縁部は、内側に凹むように形成され、装着された際に着用者の脚の周りを囲む脚開口部１８、１８となっている。
【００２３】
そして、紙おむつ本体１０の腹側部１５の端部１５１と、背側部１６の端部１６１とは、紙おむつ１が装着された際に、胴周りを形成するようになっている。特に、胴周りを形成する部分として、腹側部１５において股下部１７よりも両外側に延出した腹側延出部１５２、１５２と、背側部１６において股下部１７よりも両外側に延出した背側延出部１６２、１６２と、が形成されている。また、背側部１６の背側延出部１６２、１６２の側縁部１６３、１６３には、それぞれ外側に突出した止着部２０、２０が設けられている。
【００２４】
また、背側部１６の長手方向の縁部１６４の中央部には、糸ゴム等の弾性部材１６４ａが幅方向に沿って設けられ、この弾性部材１６４ａにより平面ギャザー１６５が形成され、着用者の胴周りにフィットするように伸縮自在な構造となっている。
【００２５】
吸収体１２は、紙おむつ１の使用時に、体液としての尿等の水様成分を吸収するものであり、綿やパルプ等の吸収性素材や、繊維或いはフィルム等のシート状基材と、高吸水性樹脂とを組み合わせて形成される。吸収体１２は、腹側部１５から背側部１６に亘る長さに形成されている。また、吸収体１２の幅方向の長さは、股下部１７の形状に合わせて中央部１２ａが狭く、長手方向の腹側端部１２ｂ、背側端部１２ｃは、腹側部１５の腹側延出部１５２、背側部１６の背側延出部１６２の形状に合わせて、中央部１２ａよりも幅が広く形成されている。
【００２６】
ギャザーシート１３、１３は、表面シート１０ａ側に吸収体１２の中央部１２ａを挟む幅方向の両側部に、腹側部１５の長手方向の縁部１５４から背側部１６の長手方向の縁部１６４に亘ってそれぞれ備えられている。
このギャザーシート１３、１３の幅方向外側の部分は、図４に示すように、裏面シート１０ｂの表面シート１０ａ側の面に固着されており、吸収体１２の側方で表面シート１０ａ側に周り込むようにして表面シート１０ａの上面に固着されている。そして、このギャザーシート１３の幅方向内側の部分は、表面シート１０ａに固定されておらず自由部１３１となっている。
ここで、ギャザーシート１３が裏面シート１０ｂおよび表面シート１０ａと固定される部分を固定部１３２といい、固定部１３２と自由部１３１との境目を基端部１３３とする。
【００２７】
ギャザーシート１３は、図４（ａ）に示すように、股下部１７における基端部１３３において幅方向外側に折り返される第１折り返し部１３ａと、基端部１３３と自由部１３１の先端の自由端部１３４との間の中間位置よりも自由端部１３４側において、幅方向内側に折り返される第２折り返し部１３ｂとが形成されている。
従って、この第１折り返し部１３ａと第２折り返し部１３ｂとで、断面略く字状及び逆く字状に立ち上がった立体ギャザーが形成される。尚、第１折り返し部１３ａは、股下部１７においては、基端部１３３にて形成されるのが望ましいが、これに限られず、第２折り返し部１３ｂは、基端部１３３と自由端部１３４の間の中間位置よりも自由端部１３４寄りであれば、何処であってもよい。
【００２８】
ギャザーシート１３の自由部１３１には、ギャザーシート１３の長手方向に沿って、複数の糸ゴム（弾性部材）１３ｃが略平行に備えられている。本実施の形態では、図４に示すように、第２折り返し部１３ｂに一本と、自由端部１３４に一本と、第２折り返し部１３ｂと自由端部１３４の間の自由端部１３４寄りに一本、計三本ずつ糸ゴム１３ｃが設けられている。そして、この糸ゴム１３ｃにより立体ギャザーは、着用者の体型に合わせて伸縮自在に変形し、着用者にフィットしやすい構造となっている。
また、第２折り返し部１３ｂに糸ゴム１３ｃが設けられることにより、第２折り返し部１３ｂと自由端部１３４との間に、平らに近い面が吸収体１２側に傾倒して形成されるので、体液がギャザーシート１３を越えて漏れ出すのを阻止する効果を高めることができる。
【００２９】
また、ギャザーシート１３の長手方向の先端部（腹側先端部１３５、背側先端部１３６）においては、自由部１３１の外側に折り返された第１折り返し部１３ａと、内側に折り返された第２折り返し部１３ｂとが、例えば、ホットメルト等のヒートシールにより固着されている。
【００３０】
また、ギャザーシート１３の基端部１３３は、図５に示すように、吸収体１２の腹側端部１２ｂ、背側端部１２ｃ上において、幅方向外側に向かって湾曲した凹部形状となっており、ギャザーシート１３の自由部１３１の幅方向の長さは、股下部１７の幅方向の長さよりも大きくなっている。これにより、図１、図３に示すように、ギャザーシート１３と表面シート１０ａとの間にポケット部１００、１００、１００、１００が、腹側部１５、背側部１６とにそれぞれ２つずつ、計４つ形成されている。従って、例えば、紙おむつ１の着用時に、不液透過性の立体ギャザーシート１３で遮断された体液が、不液透過性の立体ギャザーシート１３の長手方向に沿って移動すると、移動した体液は、腹側部１５或いは背側部１６のポケット部１００に到達して一旦貯留された後、徐々にポケット部１００の下方の吸収体１２に吸収されることとなって、横漏れ防止の効果を更に向上させることができる。また、ポケット部１００は、腹側延出部１５２及び背側延出部１６２の面積に対して、１０〜８０％の大きさに形成されている。ここで、上記範囲に形成されている理由は、１０％より小さい場合には、ポケット部１００における体液吸収の効果が小さくなるからであり、８０％より大きい場合には、腹側延出部１５２及び背側延出部１６２の横或いは後方から漏れてしまう可能性があるからである。
【００３１】
また、固定部１３２において、ギャザーシート１３、１３と裏面シート１０ｂとの間には、脚開口部１８、１８の両縁部から腹側部１５の腹側延出部１５２、１５２、及び背側部１６の背側延出部１６２、１６２にかけて、脚開口部１８、１８の両側縁部の湾曲形状に合わせて糸ゴム等の弾性部材１３ｄがそれぞれ設けられ、この弾性部材１３ｄにより平面ギャザー１３７、１３７が形成されている。
これにより、着用者の脚周りに伸縮自在にフィットし、横漏れを防止するようになっている。この平面ギャザー１３７、１３７の長さは、例えば、３００〜６００ｍｍとなっている。尚、本実施の形態では、図３に示すように、弾性部材１３ｄとしての糸ゴムが、左右それぞれ３本ずつ備えられている。
【００３２】
また、図１、図３、図５に示すように、背側部１６において、不液透過性の不織布等からなるバックギャザーシート１９の幅方向の端部１９ａ、１９ｂが左右のギャザーシート１３、１３の間を掛け渡すように固着されている。そして、このバックギャザーシート１９の長手方向背側端部１９ｃが、裏面シート１０ｂに固着され、縁部１６４において平面ギャザー１６５を形成している。また、バックギャザーシート１９の長手方向腹側端部１９ｄは、固定されておらず、表面シート１０ａ上を一部覆う様に延出しており、その先端部分に糸ゴムが幅方向に沿って設けられ、伸縮可能に形成されている。そして、このバックギャザーシート１９と、表面シート１０ａとの間の隙間に、後ポケット部２００が形成されることとなって、後漏れを防止する機能を果たしている。
【００３３】
突出部１４、１４は、吸収体１２上面に、ギャザーシート１３、１３よりも幅方向内側で、長手方向に沿って設けられている。この突出部１４、１４は、表面シート１０ａを長手方向に沿って二つ折りにした部分を固着させることにより表面シート１０ａの一部を突出させて形成される。
この突出部１４、１４により、排出された体液の、幅方向、即ちギャザーシート１３方向へ流出する勢いが一度止められ、長手方向に流れが拡散されることとなって、体液の横漏れを防ぐ効果が期待できる。
【００３４】
また、左右の突出部１４、１４の幅方向の間隔は、１００〜３００ｍｍであるように形成されている。一般的にインナーパッドＰと呼ばれる吸収性物品の幅方向の長さが、１００〜３００ｍｍであるため、突出部１４、１４の幅方向の間隔も、インナーパッドＰの幅方向の長さと略同じ長さに形成されている。また、突出部１４、１４の幅方向の間隔は、広く用いられているインナーパッドＰとの関係により、より好ましくは１６０〜２００ｍｍに形成されているものとする。そして、この突出部１４、１４の長手方向端部１４１、１４２は、突出部１４、１４が、幅方向内側に倒れるように表面シート１０ａ上に固着されている。従って、この突出部１４、１４には、図６、図７に示すように、紙おむつ本体１０の表面シート１０ａ上に配置され、体液を吸収するインナーパッドＰの側部を固定させることができる。ここで、インナーパッドＰとは、例えば、尿取りパッド、失禁パッド等の吸収性物品であり、体液の吸収に対して紙おむつ１を補助するためのものであると共に、紙おむつ１そのものの取換え頻度を低くすることにより使用コストを抑えるためのものでもある。尚、図６は、紙おむつ１の表面シート１ａ上にインナーパッドＰを装着したことを仮定した、図１のＡ―Ａ’断面図であり、図７は、インナーパッドＰ装着時の背側部１６の一部を拡大した断面斜視図である。
【００３５】
また、突出部１４の基端部１４４から先端部１４５までの突出部分の長さは、５〜５０ｍｍの長さに形成されている。ここで、５〜５０ｍｍの長さの範囲に形成されている理由は、５ｍｍよりも小さいと、尿の横への流出の勢いを止めるのに不十分であると共に、通常のインナーパッドＰを固定することが出来ない。また、５０ｍｍよりも大きいと、装着時にもたついて人体と紙おむつ１との間の隙間ができて漏れやすくなったり、インナーパッドＰを固定した際、突出部１４、１４が、インナーパッドＰ上に過度に覆い被さってしまい、透液性のシートであっても、体液の吸収性を妨げる虞があるからである。また、突出部１４の基端部１４４から先端部１４５までの突出部分の長さは、５〜５０ｍｍに形成されているが、更に、ギャザーシート１３の基端部１３３と自由端部１３４の間の長さよりも小さく形成されており、ギャザーシート１３による横漏れ防止機能を阻止しないようになっている。
【００３６】
また、この突出部１４、１４の先端部分には、弾性部材としての糸ゴム１４ａが設けられている。この糸ゴム１４ａにより、インナーパッドＰを上面から固定することができる。また、この糸ゴム１４ａの弾性率は、２５０％以下であり、弾性力は２０ｇｆ以下であるように突出部１４に備えられている。ここで、糸ゴム１４ａの弾性率は２５０％以下で、弾性力が２０ｇｆ以下であるのは、それより大きい場合には、糸ゴム１４ａの弾性力によって吸収体１２が収縮してしまうこととなって、装着した場合に吸収体１２の一部が重なる等して体液の吸収を妨げてしまうからである。
【００３７】
尚、インナーパッドＰに面ファスナの一方の止着要素である係止部材Ｆ１を設け、突出部１４の内面１４３のインナーパッドＰとの接触部分に数カ所、面ファスナの他方の止着要素である係止部材Ｆ２を設け、係止部材Ｆ１、Ｆ２を係合させることによりインナーパッドＰのずれを更に防止する構成であってもよい。この場合、より確実にインナーパッドを固定することができる。また、係止部材Ｆ２は突出部の内面１４３に設けることにより、インナーパッドＰを装着しないで着用した場合に、係止部材Ｆ２が人体に接触する虞がない。
【００３８】
また、突出部１４は、表面シート１０ａの一部から形成されている構成で説明したが、突出部１４は表面シート１０ａと異なる他の部材から形成されていてもよい。具体的には、吸収体１２による体液の吸収を妨げない透液性シートを紙おむつ本体１０の長手方向に沿って表面シート１０ａ上に突出させて設けるようにしてもよい。この場合、表面シート１０ａと独立して突出部１４を形成できるので、形状、素材等の自由度が増す。
【００３９】
止着部２０、２０は、例えば、不織布等で形成されており、背側部１６の延出部１６２、１６２の左右側方に突出するように、備えられている。そして、止着部２０、２０の両側部には、それぞれ凸状の第１ファスナ２１ａ、２１ｂと、第２ファスナ２２ａ、２２ｂとが、紙おむつ本体１０の長手方向に２つ並べて設けられている。第１ファスナ２１ａ、２１ｂ、第２ファスナ２２ａ、２２ｂには、それぞれ面ファスナの一方の係止要素である雄部材等のファスニングテープ２３が備えられている。そして、この４つのファスニングテープ２３、２３、２３、２３が、腹側部１５の裏面シート１０ｂ上に備えられている、面ファスナの雌部材とうからなる被着部４０に係止するようになっていて、背側端部側の第１ファスナ２１ａ、２１ｂは胴周りを締め付け、股下部１７側の第２ファスナ２２ａ、２２ｂは脚周りを締め付け可能な構造となっている。
【００４０】
ここで、図８に示す、第１ファスナ２１ａ、２１ｂと、第２ファスナ２２ａ、２２ｂとの間の距離（２０Ａ）は、４０〜６０ｍｍであり、第１ファスナ２１及び第２ファスナ２２の基端部から先端部までの距離（２０Ｂ）は、４５〜６５ｍｍであり、２０Ａと２０Ｂの比である２０Ａ／２０Ｂは、０．８〜１．２となっている。
【００４１】
第１ファスナ２１と、第２ファスナ２２との間の距離を上記範囲とした理由は、６０ｍｍを超えると、止着部２０の、第１ファスナ２１と、第２ファスナ２２の間の部分にしわが寄って体液が漏れ易くなるからである。一方、４０ｍｍより小さいと、第１ファスナ２１と、第２ファスナ２２の可動範囲が制限されるため、胴周りと脚周りの両方を同時に好適に締め付けることが困難となるからである。
第１ファスナ２１及び第２ファスナ２２の基端部から先端部までの距離（２０Ｂ）を上記範囲とした理由は、６５ｍｍを超えると、第１ファスナ２１と、第２ファスナ２２による延出部の締め付けが弱くなって体液が漏れ易くなるからである。一方、４５ｍｍより小さいと、第１ファスナ２１と、第２ファスナ２２の可動範囲が制限されるため、胴周りと脚周りの両方を同時に好適に締め付けることが困難となるからである。
【００４２】
尚、第１ファスナ２１及び第２ファスナ２２は、先端部を指先でつまみ易い程度に基端部から先端部にかけて幅が狭くなるように形成されているが、その傾斜角度や形状は限定されるものではない。また、第１ファスナ２１、第２ファスナ２２は、背側部１６の縁部１６４と略平行に形成されているが、これに限定されるものではなく、例えば、第２ファスナ２２は、脚周りを固定しやすいように股下部１７方向に向かって斜めに設ける等の構造であってもよい。
【００４３】
このように、本実施の形態による紙おむつ１によれば、吸収体１２によって一度に吸収されなかった体液は、一度、突出部１４にぶつかって、流れの勢いを弱められ、更に突出部１４に沿って長手方向に流れの方向が拡散されてからギャザーシート１３方向に流出することとなって、横漏れ防止効果の向上が期待できる。
【００４４】
また、突出部１４、１４は、その左右間の幅が１００〜３００ｍｍであり、インナーパッドＰの幅の大きさと同じに形成されている上、幅方向内側に倒れるように設けられているので、インナーパッドＰの側方を固定することが可能となって、表面シート１ａ上でずれるのを阻止することができる。従って、インナーパッドＰがずれることによる漏れを防止することができるとともに、それに付随して紙おむつ１を交換するコストを抑えることが可能となる。
【００４５】
更に、突出部１４、１４の突出部分の高さは、５〜５０ｍｍであるので、体液の流出をせき止め、かつインナーパッドＰを固定するのに十分な高さに形成されているとともに、過剰にインナーパッドＰ上に覆い被さることにより体液の吸収を妨げないので、漏れの防止機能を十分に果たすことができる。
【００４６】
また、突出部１４の先端部分には、弾性部材としての糸ゴム１４ａが設けられ、その弾性力が２０ｇｆ以下であるように備えられているので、インナーパッドＰを上面部において固定しつつ、吸収体１２を過剰に収縮させることがない。
【００４７】
また、インナーパッドＰに、面ファスナの一方の止着要素である係止部材Ｆ１を、突出部１４の内面１４３に、面ファスナの他方の止着要素である係止部材Ｆ２を、前記係止部材Ｆ１との接触可能な位置に設け、係止部材Ｆ１と係止部材Ｆ２とを係合させることによりインナーパッドＰを固定する構造にした場合には、インナーパッドＰを、更に確実に固定することができる。また、この場合、係止部材Ｆ２は、突出部１４の内面１４３に設けられることにより、インナーパッドＰを装着しない場合にも着用者に係止部材Ｆ２が接触するおそれがない。
【００４８】
尚、上記の実施の形態は、本発明を例示したに過ぎず、適宜変更可能である。例えば、突出部１４、１４は、表面シート１０ａの一部より形成する構造が製造の手間、コスト等に関しても望ましいが、表面シート１０ａと同様に透液性の他の部材を、表面シート１０ａ上に配置することで形成してもよい。また、突出部１４の先端部分に、弾性部材の一例として糸ゴム１４ａが好ましいが、その他の弾性部材であってもよい。
【００４９】
また、インナーパッドＰの係止部材Ｆ１と突出部１４の係止部材Ｆ２とは、面ファスナの雌雄部材で構成されていることに限定されず、例えば、一方が粘着テープ、他方が粘着テープが着脱自在なフィルム等で形成されていてもよい。また、係止部材Ｆ１、Ｆ２はどのような形状であってもよく、その個数も限定されるものではない。
【００５０】
【発明の効果】
請求項１記載の発明によれば、表面シートの一部が突出して形成された左右一対の突出部が、一定の間隔を有して物品本体の長手方向に沿って設けられるとともに、少なくとも股下部に設けられているので、股下部において排出された体液が突出部に到達すると、体液の流出の勢いが弱まるとともに長手方向に分散され、股下部のギャザーシートへの負担が軽くなることとなって、横漏れしにくくなる。また、突出部は、表面シートの一部より形成されているので、部材数を増やすことなく製造することができる。
また、突出部が吸収性物品の幅方向の中心に向けて伏臥するように形成され、その内面にインナーパッドを係止する係止部材を備えているので、インナーパッドをより確実に係止させることが出来ることとなって、漏れ防止効果の向上できる。また、インナーパッドを装着しない場合でも、係止部材は内面に備えられているので、装着者の肌に触れることを防ぐことができる。
【００５１】
請求項２記載の発明によれば、透液性シートからなる突出部が、二つのギャザーシート間の表面シート上に突出するように、一定の間隔を有して物品本体の長手方向に沿って設けられており、更に少なくとも股下部に設けられているので、股下部で排出された体液が突出部に到達すると、体液の流出の勢いが弱まるとともに、長手方向に拡散され、股下部のギャザーシートへの負担が軽くなることとなって、横漏れがしにくくなる。また、突出部は、表面シートとは別部材により形成することができるので、形状等の自由度が増す。
また、突出部が吸収性物品の幅方向の中心に向けて伏臥するように形成され、その内面にインナーパッドを係止する係止部材を備えているので、インナーパッドをより確実に係止させることが出来ることとなって、漏れ防止効果の向上できる。また、インナーパッドを装着しない場合でも、係止部材は内面に備えられているので、装着者の肌に触れることを防ぐことができる。
【００５２】
請求項３記載の発明によれば、請求項１又は２記載の発明と同様の効果が得られるのは勿論のこと、特に、突出部は、基端部から先端部までの突出部分の長さが５〜５０ｍｍであるので、体液の横へ流出の勢いを弱めるのに適している。
【００５３】
請求項４記載の発明によれば、請求項３記載の発明と同様の効果が得られるのは勿論のこと、特に、突出部の左右の間隔が、インナーパッドの幅の長さを略同一となっているので、左右の突出部の間にインナーパッドを装着させる場合に、インナーパッドがずれるのを防止することができることとなって、さらに漏れ防止効果を向上させることができる。
【００５４】
請求項５記載の発明によれば、請求項１〜４の何れかに記載の発明と同様の効果が得られるのは勿論のこと、特に、突出部の先端部には、１又は２以上の弾性部材が設けられているので、装着者の体型等に合わせてフィットすることが可能な上、例えば、左右突出部の間にインナーパッドを装着する場合には、インナーパッドのずれ防止効果が高くなる。
【００５５】
請求項６記載の発明によれば、請求項５記載の発明と同様の効果が得られるのは勿論のこと、特に、弾性部材は、その弾性力が２０ｇｆ以下になるように設けられているので、弾性部材により吸収性物品が収縮してしまい吸収体が重なり合う部分により吸収効率が悪くなるおそれがない。
【図面の簡単な説明】
【図１】本発明を適用した紙おむつ１の展開斜視図である。
【図２】図１のおむつの装着時における斜視図である。
【図３】図１のおむつの展開平面図である。
【図４】（ａ）は、図１のＡ−Ａ’断面図であり、（ｂ）は、図１のＢ−Ｂ’断面図である。
【図５】図１の背側部１６の一部を拡大した断面斜視図である。
【図６】インナーパッドＰを装着した場合のＡ−Ａ’断面図である。
【図７】インナーパッドＰを装着した場合の、背側部１６の一部を拡大した断面斜視図である。
【図８】図１の止着部２０の拡大図である。
【符号の説明】
１  使い捨て紙おむつ（吸収性物品）
１０  紙おむつ本体
１０ａ  表面シート
１０ｂ  裏面シート
１２  吸収体
１３  ギャザーシート
１４  突出部
１４４  基端部
１４５  先端部
１４ａ  糸ゴム（弾性部材）
１５  腹側部
１５２  腹側延出部（延出部）
１６  背側部
１６２  背側延出部（延出部）
１７  股下部
Ｆ１  係止部材
Ｆ２  係止部材
Ｐ  インナーパッド
【図１】
0003615746.tif 000002
【図２】
0003615746.tif 000003
【図３】
0003615746.tif 000004
【図４】
0003615746.tif 000005
【図５】
0003615746.tif 000006
【図６】
0003615746.tif 000007
【図７】
0003615746.tif 000008
【図８】
0003615746.tif 000009